(57)【要約】      （修正有）【課題】より簡便に且つより自由なレイアウトを可能として想像力豊かに遊ぶことのできるハウス玩具を提供する。【解決手段】床面部材１２と、床面部材１２に着脱可能な壁面部材１４と、床面部材１２と壁面部材１４のいずれか又は両方に装着可能なデザインシート２０，２１とを備え、少なくとも床面部材１２に所定間隔に設けられた複数突起に嵌合する開口がデザインシート２０，２１に設けられる。更に、デザインシートは一対の相対する装着部に装着されるので、デザインシートの取り替えは非常にスムーズに実施される。【選択図】図１
0003166345.tif 000002
【実用新案登録請求の範囲】
【請求項１】
ハウス玩具であって、
床面部材と、
前記床面部材に着脱可能な壁面部材と、
前記床面部材と前記壁面部材のいずれか又は両方に装着可能なデザインシートとを備え、
少なくとも前記床面部材に所定間隔に設けられた複数の突起に嵌合する開口が前記デザインシートに設けられるハウス玩具。
【請求項２】
前記デザインシートは前記床面部材と前記壁面部材のいずれか又は両方に配置される一対の相対する装着部に装着可能である請求項１に記載のハウス玩具。
【請求項３】
前記デザインシートの開口が所定バインダの留め具位置に対応して配置される請求項１に記載のハウス玩具。
【請求項４】
少なくとも前記デザインシートに貼付可能で且つ重畳貼付可能なシール部材を備える請求項１〜３のいずれか一項に記載のハウス玩具。
【請求項５】
前記シール部材が絵柄に合わせて凹凸を構成している請求項４に記載のハウス玩具。
【請求項６】
前記デザインシート上に前記シール部材を貼付すべき指示領域が設けられる請求項４又は５に記載のハウス玩具。
【請求項７】
前記デザインシート上に載置可能で且つ前記シール部材を貼付可能な構成物品を備える請求項４〜６のいずれか一項に記載のハウス玩具。
【請求項８】
前記構成物品は、延設部を備える台座と、前記延設部を挟んで貼付される挟持部材とにより構成される請求項６に記載のハウス玩具。
【請求項９】
前記床面部材は、前記デザインシートの装着面下部に収納部を備える請求項１〜８のいずれか一項に記載のハウス玩具。
【請求項１０】
複数のハウス玩具同士を互いに連結する連結部をそれぞれの前記床面部材に備える請求項１〜９のいずれか一項に記載のハウス玩具。
【考案の詳細な説明】
【技術分野】
【０００１】
本考案は、家屋や部屋等の絵柄を様々の態様に構成変更可能なハウス玩具に関する。
【背景技術】
【０００２】
従来、部屋や庭などを箱形ケース内に再現して遊びに興ずる玩具が知られている(実用新案文献１)。実用新案文献１に記載の小物入れ玩具は、箱形のケースの蓋を展開することにより、ケース内面の絵が現れる構成である。また、ケース内には種々の態様のシートを選択的にケース内に敷設し、ケース内の模様替えを行い、楽しむ構成となっている。また、シートには多数の嵌合孔が穿設されており、スタンドの突起がシートの嵌合孔を貫いてケース底面の嵌合孔に係合される構成である。
【先行技術文献】
【特許文献】
【０００３】
【特許文献１】実開昭５９−２００号公報
【考案の概要】
【考案が解決しようとする課題】
【０００４】
しかしながら、実用新案文献１に示す構成の玩具において、シートはケース底面に落とし込むように敷設することとなる。このシートは見栄えの点からはケース底面と同等な寸法が好ましいと思われるが、その場合、シート取り替え時に取り出し難さを呈する。
【０００５】
また、スタンドの設置位置は嵌合孔の位置のみとなり、配置の自由度は制限されることとなる。特に、人間の形状の場合には、不自然な配置となる場合があるという問題があった。
【０００６】
従って、本考案は、より簡便に且つより自由なレイアウトを可能として想像力豊かに遊ぶことのできるハウス玩具を提供することを目的とする。
【課題を解決するための手段】
【０００７】
本考案のハウス玩具は、床面部材と、前記床面部材に着脱可能な壁面部材と、前記床面部材と前記壁面部材のいずれか又は両方に装着可能なデザインシートとを備え、少なくとも前記床面部材に所定間隔に設けられた複数の突起に嵌合する開口が前記デザインシートに設けられる構成である。
【０００８】
本考案のハウス玩具によれば、デザインシートは一対の相対する装着部に装着されるので、デザインシートの取り替えは非常にスムーズに実施される。更に、突起とそれに嵌合する開口をデザインシートに設けているが、突起を複数設けることで、装着を確実にしつつ、取り外しの簡便さを損なわないようにできる。
【０００９】
前記デザインシートの開口が所定バインダの留め具位置に対応して配置されることが好ましい。
【００１０】
少なくとも前記デザインシートに貼付可能で且つ重畳貼付可能なシール部材を備えることが好ましい。
【００１１】
前記シール部材が絵柄に合わせて凹凸を構成していることが好ましい。
【００１２】
前記デザインシート上に前記シール部材を貼付すべき指示領域が設けられることが好ましい。
【００１３】
前記デザインシート上に載置可能で且つ前記シール部材を貼付可能である構成物品を備えることが好ましい。
【００１４】
前記構成物品は、延設部を備える台座と、前記延設部を挟んで貼付される挟持部材とにより構成されることが好ましい。
【００１５】
前記床面部材は、前記デザインシートの装着面下部に収納部を備えることが好ましい。
【００１６】
複数のハウス玩具同士を互いに連結する連結部をそれぞれの前記床面部材に備えることが好ましい。
【考案の効果】
【００１７】
本考案によれば、より簡便に且つより自由なレイアウトを可能として想像力豊かに遊ぶことのできるハウス玩具を提供することができる。
【図面の簡単な説明】
【００１８】
【図１】本考案に係わるハウス玩具の斜視図である。
【図２】(Ａ)はデザインシートを除いた図１のハウス玩具右側方の斜視図であり、(Ｂ)は デザインシートを除いた図１のハウス玩具左側方の斜視図である。
【図３】床面部材と壁面部材とを取り外した状態の斜視図である。
【図４】本考案に係わるデザインシートの平面図である。
【図５】図１のハウス玩具に本考案に係わる構成物品を載置した状態の斜視図である。
【図６】構成物品とシール部材を示す斜視図である。
【図７】人形構成物品の台座の斜視図である。
【図８】(Ａ)台座を使用する構成物品の側方斜視図であり、(Ｂ)台座を使用する構成物品の裏側斜視図である。
【図９】床面部材の収納部を示す斜視図である。
【図１０】デザインシートを綴じるバインダ一を示す斜視図である。
【考案を実施するための最良の形態】
【００１９】
以下、本考案に係わるハウス玩具の好ましい実施形態について、図面を参照しながら説明する。
図１は本考案に係わるハウス玩具の斜視図、図２(Ａ)はデザインシートを除いた図１のハウス玩具右側方の斜視図、図２(Ｂ)はデザインシートを除いた図１のハウス玩具左側方の斜視図、図３は床面部材と壁面部材とを取り外した状態の斜視図である。
【００２０】
本考案の実施形態に係わるハウス玩具１０は、床面部材１２と、壁面部材１４と、床用デザインシート２０，壁用デザインシート２１とからなる。
床面部材１２は、床用デザインシート２０が載置装着される装着面１２ｃを備える。更に、床面部材１２は、装着面１２ｃと一定の隙間(デザインシートとの間で遊びができる程度)を有して対となる第一フランジ１２ａ，１２ｂを備え、第一フランジ１２ａ，１２ｂと装着面１２ｃとの間で床用デザインシート２０を導入する一対の装着部１７ａ，１７ｂを形成する。
本実施形態では、第一フランジ１２ａ，１２ｂの位置は壁面部材１４近傍であるが、装着面１２ｃの周囲であればよい。
【００２１】
壁面部材１４は、床面部材１２に対して略垂直に装着されている。更に、壁用デザインシート２１が装着される装着面１４ｃを備える。壁面部材１４は、装着面１４ｃと一定の隙間(デザインシートとの間で遊びができる程度)を有して対となる第二フランジ１４ａ，１４ｂを備え、第二フランジ１４ａ，１４ｂと装着面１４ｃとの間で壁用デザインシート２１を導入する一対の装着部１９ａ，１９ｂを形成する。
この第二フランジ１４ａ，１４ｂは、壁用デザインシート２１の倒れ込みを回避するため、壁用デザインシート２１の垂直辺を支える構成とすることが好ましい。
【００２２】
図３に示すように、床面部材１２の背面１３には装着突部１３ａが複数(図３では４カ所)配置されている。装着突部１３ａの位置に対応する壁面部材１４の位置には凹部１５が配置されている。装着突部１３ａと凹部１５とを嵌合させることより、壁面部材１４を床面部材１２へ装着固定する。装着突部１３ａと凹部１５との間で摩擦力が発生する程度の寸法とすることで、装着固定を確実なものとすることができる。
【００２３】
図４は本考案に係わるデザインシートの平面図である。床用デザインシート２０，壁用デザインシート２１には、床用・壁用に部屋内装などを模した複数種類の絵柄を表す複数枚が提供される。そして、少なくとも床用デザインシート２０には、開口２２が複数備えられる(図４では６カ所)。床面部材１２の装着面１２ｃには開口２２に対応する位置に突起１６が備えられる。
【００２４】
床用デザインシート２０の装着時には、まず、第一フランジ１２ａ，１２ｂと装着面１２ｃとの間で形成される一対の装着部１７ａ，１７ｂに床用デザインシート２０を導入する。次に、突起１６に開口２２を係合させることで、床用デザインシート２０の位置指定及び固定を確実にする。突起１６の突出高さを床用デザインシート２０の載置高さ程度に抑えることで、床用デザインシート２０の着脱をスムーズに実施することが可能となる。
【００２５】
床用デザインシート２０上の開口２２は１カ所でも可能であるが、本実施形態のように、図４でも示すとおり、所定間隔に複数設けられることが好ましい。
これは、図１０に示すように、複数カ所に留め具５２を備えるバインダ５０に対応させたものである。このように特定のバインダ５０を指定し、そのバインダ５０の留め具位置に、床用デザインシート２０の開口２２の位置と装着面１２ｃの突起１６の位置を対応させる構成が可能である。
【００２６】
このバインダを利用する構成により、複数枚の床用デザインシート２０を保有する場合の収納時に、バインダ５０に纏めることで、整理・収納することができる。
このようなバインダ５０に対応する開口２２と突起１６の構成は、壁用デザインシート２１と壁面部材１４の装着面１４ｃとの位置指定にも適用可能である。
【００２７】
次に、図１に示すように、シール部材３６，３８が床用デザインシート２０、壁用デザインシート２１上に貼付されている。このシール部材３６，３８は他種類提供され、少なくとも床用デザインシート２０、壁用デザインシート２１に貼付可能である。また、シール部材３６，３８同士が重畳貼付可能でもある。シール部材３６，３８は脱着繰り返し可能な接着剤を使用することもできる。
更に、シール部材３６はその絵柄に合わせて凹凸を付加して立体構造を有している。
なお、このシール部材の内部にスポンジ等の弾力のある部材を含有させることで立体構造とすることも可能である。
【００２８】
床用デザインシート２０，壁用デザインシート２１には、絵柄が表されているが、これら絵柄の中には貼付されるに相応しいシール部材３６，３８の種類があり、貼付指示領域として設けられる。
このように貼付指示領域としての絵柄を設けることで、シール部材の貼り付けの選択をする上で変化を与えることができ、興味をより刺激することができる。
【００２９】
図５は図１のハウス玩具に本考案に係わる構成物品を載置した状態の斜視図である。構成部材３２ａ，３２ｂ，３２ｃが床面部材１２に装着された床用デザインシート２０上に載置されている。これら構成部材３２ａ，３２ｂ，３２ｃは他種類が提供され、床用デザインシート２０上で自由な位置に載置される。このように、構成部材３２ａ，３２ｂ，３２ｃが自由に配置されて遊技に使用される。
また、これら構成部材３２ａ，３２ｂ，３２ｃに対してもシール部材３６が貼付可能である。
【００３０】
本実施形態では、人形の構成部材３２ａ、家具の構成部材３２ｂ，３２ｃが床用デザインシート２０，壁用デザインシート２１の絵柄を背景として載置されている。そして、シール部材３６，３８は他品種のシール部材が供給されて、自由な発想そのままに、デザインシート２０，２１及び各構成部材３２ａ，３２ｂ，３２ｃを飾っている。
【００３１】
図６では構成物品とシール部材の使用形態の一例を示している。家具の構成部材３２ｂ上には立体構造のシール部材４０が積層状態で貼付されている。このような積層により、更なる立体感と、より現実味を帯びた態様が表現可能となっている。
【００３２】
図７は人形構成物品の台座の斜視図、図８(Ａ)は台座を使用する構成物品の側方斜視図、図８(Ｂ)は台座を使用する構成物品の裏側斜視図である。
人形の構成部材３２ａは、台座３２ａａと、台座３２ａａに備えられる延設部３２ａｂと、人形の絵柄を凹凸で表現している挟持部材４２ａ，４２ｂとからなる。延設部３２ａｂは、表側絵柄のシール部材４２ａと裏側絵柄のシール部材４２ｂとで挟まれており、直立の人形を表現可能となる。
このような台座３２ａａを利用することで、人形だけでなく、直立状態を表現したい絵柄に対して有効となる。
【００３３】
図９は床面部材の収納部を示す斜視図である。床面部材１２下部には収納トレー１９が配置され、少なくとも床用デザインシート２０，壁用デザインシート２１が収納可能となっている。この収納トレー１９は、構成部材３２ａ，３２ｂ，３２ｃやシール部材３６，３８，４０などを収納する大きさとすることもできる。
このような、収納トレー１９を備えることで、バラバラになりがちな床用デザインシート２０，壁用デザインシート２１や、更には、構成部材３２ａ，３２ｂ，３２ｃ、シール部材３６，３８，４０などを纏めることができる。
【００３４】
ここで、図２(Ａ)に示すように、床面部材１２の右側面に突起１８ａが設置され、図２(Ｂ)に示すように、床面部材１２の左側面には凹部１８ｂが設置されている。突起１８ａと凹部１８ｂとは互いに対応する間隔をもって配置されている。従って、複数のハウス玩具１０を連結させる場合、隣り合うハウス玩具１０の突起１８ａと凹部１８ｂとが係合する。このように複数のハウス玩具１０を連結することで、複数の情景を同時に表現し、遊びの幅を広げることができる。
【００３５】
以上、説明した本考案の実施形態にかかるハウス玩具１０によれば、一対の相対する装着部１７ａ，１７ｂ、１９ａ，１９ｂに床用デザインシート２０，壁用デザインシート２１が装着されるので、デザインシートの取り替えは非常にスムーズに実施される。更に、突起１６とそれに嵌合する開口２２を床用デザインシート２０に設けているが、突起１６を複数設けることで、装着を確実にしつつ、取り外しの簡便さを損なわないようにできる。
【００３６】
そして、床用デザインシート２０，壁用デザインシート２１の交換でベースとなる背景やシーンの設定を行い、各デザインシート上では構成部材３２ａ，３２ｂ，３２ｃやシール部材３６，３８を適宜且つ自由な位置に配置・貼付することができ、より簡便に且つより自由なレイアウトを可能として想像力豊かに遊ぶことができる。
【００３７】
なお、本考案は上記実施形態に限定されるものではなく、本考案の目的を達成できる範囲での変形、改良などは本考案の含まれるものである。
例えば、本実施形態は、ハウス玩具１０の形状が四角形を基本としているが、三角形、六角形、半円形などでも適用可能である。
【符号の説明】
【００３８】
１０  ハウス玩具
１２  床面部材
１４  壁面部材
１６  突起
２０  床用デザインシート
２１  壁用デザインシート
２２  開口
３２ａ，３２ｂ，３２ｃ  構成部材
３６，３８，４０  シール部材
５０  バインダ
【図１】
0003166345.tif 000003
【図２】
0003166345.tif 000004
【図３】
0003166345.tif 000005
【図４】
0003166345.tif 000006
【図５】
0003166345.tif 000007
【図６】
0003166345.tif 000008
【図７】
0003166345.tif 000009
【図８】
0003166345.tif 000010
【図９】
0003166345.tif 000011
【図１０】
0003166345.tif 000012
【手続補正書】
【提出日】平成22年12月20日(2010.12.20)
【手続補正１】
【補正対象書類名】実用新案登録請求の範囲
【補正対象項目名】請求項８
【補正方法】変更
【補正の内容】
【請求項８】
前記構成物品は、延設部を備える台座と、前記延設部を挟んで貼付される挟持部材とにより構成される請求項７に記載のハウス玩具。